(57)【要約】【課題】地中の温度が直接庫内に伝えられにくくするとともに、庫内空気の停滞もなくして黴や結露の発生を防いで、収納にとって最適な環境を作り、安心して長期収納できるようにする。【解決手段】複数の芯材鉄骨２の外側に金属製外板３が固定された壁、床及び天井構造体１Ａ，１Ｂ，１Ｃによりボックス形の収納庫本体２０が構成され、各構造体１Ａ，１Ｂ，１Ｃにおける鉄骨２内側に固定の内装板６と金属製外板３の間に形成される空間部９内に断熱材１０が設けられているとともに、収納庫本体２０内の対角線上の二箇所で天井面近くに、庫内空気を空間部９内に向けて圧入する強制吸排気用ファン１７が設置され、かつ、壁構造体１Ａの内装板６には、空間部９内から庫内へ向け空気を噴出する多数の小孔１８…が形成されている。【選択図】      図５
2004360423.tif 000002
【特許請求の範囲】
【請求項１】
所定のピッチ間隔で配置された複数の芯材鉄骨の外側に金属製外板が固定されてなる壁、床及び天井の各構造体により、短辺方向に門形ラーメン構造で、かつ、長辺方向に耐震壁構造の断面ボックス形の収納庫本体が構成され、前記壁、床及び天井の各構造体における芯材鉄骨の内側には木製下地を介して内装板が固定されているとともに、前記天井構造体には昇降用出入口が形成されている鋼製地下収納庫において、
前記内装板と金属製外板との間に形成される空間部内に露出する前記芯材鉄骨の全表面及び金属製外板の内面には断熱材が被覆されているとともに、
前記収納庫本体内の少なくとも一方の対角線方向の二箇所で天井面近くの位置には、庫内空気を吸引しその吸引空気を前記空間部内に向けて圧入する強制吸排気用ファンが設置され、
かつ、前記壁構造体及び床構造体における内装板のうち、少なくとも壁構造体における内装板には空間部内から庫内へ向けて空気を噴出する多数の小孔が分散形成されていることを特徴とする鋼製地下収納庫。
【請求項２】
前記床構造体の一部には、他の床構造体部分よりも下方に局部的に突出させて、その突出床構造体部分に天井高の高いピットが形成されている請求項１に記載の鋼製地下収納庫。
【請求項３】
前記空間部のうち、少なくとも床構造体の空間部には、竹炭が収容されている請求項１または２に記載の鋼製地下収納庫。
【発明の詳細な説明】
【０００１】
【発明の属する技術分野】
本発明は、木造や軽量鉄骨造り住宅等の上部建物の直下部地下スペースを有効利用して大容量の収納を実現可能とした鋼製地下収納庫に関するものである。
【０００２】
【従来の技術】
この種の鋼製地下収納庫は、使用頻度の低い各種物品や季節毎に入替えを要する物品、その他の家財品、食料品あるいは商店における在庫品などを収納保管する場合に用いられるもので、大容量の収納スペースとして従来から多用されている屋根裏収納に比べて、天候や温度などの外部環境の変化にかかわらず温度や湿度など収納部の環境条件を適正かつ安定に維持しやすく、かつ、収納品の出し入れも危険を伴わず安全、容易に行えるといった長所を有している。
【０００３】
この種の鋼製地下収納庫として、従来、所定のピッチ間隔で配置された複数の芯材鉄骨の外側に金属製外板が固定されてなる壁、床及び天井の各構造体により、短辺方向に門形ラーメン構造で、かつ、長辺方向に耐震壁構造の断面ボックス形の収納庫本体が構成され、この断面ボックス形の収納庫本体における前記天井構造体に上部建物内から出入りするための昇降用出入口が形成されている鋼製地下収納庫が知られている（例えば、特許文献１参照）。
【０００４】
【特許文献１】
特許第３１３８８５５号公報
【０００５】
【発明が解決しようとする課題】
上記のような構成を持つ従来の鋼製地下収納庫は、収納庫本体が耐震、耐久性に優れた構造体であり、土圧や上部建物の荷重を直接に受けることが可能で、コンクリート製ピットの施工等が不要であるために、工期の短縮及び工費の低減が図れ、また、水漏れや湿気の侵入も防げるといった数多くの利点を有している。
【０００６】
ところで、地下に施工される収納庫は一般的に大型であり、このような大型の収納庫の場合は、どうしても収納期間が長期に亘ることが多い。そのため、特に夏場などに庫内に湿気が発生することは避けられず、多湿な空気が淀み停滞することによって収納品に黴や結露を発生する可能性があるという問題があった。
【０００７】
本発明は上記のような実情に鑑みてなされたもので、地中の温度が直接庫内に伝えられにくくするとともに、庫内空気の停滞もなくして黴や結露の発生を防いで、収納にとって最適な環境を作り、安心して長期収納することができる鋼製地下収納庫を提供することを目的としている。
【０００８】
【課題を解決するための手段】
上記目的を達成するため、本発明に係る鋼製地下収納庫は、所定のピッチ間隔で配置された複数の芯材鉄骨の外側に金属製外板が固定されてなる壁、床及び天井の各構造体により、短辺方向に門形ラーメン構造で、かつ、長辺方向に耐震壁構造の断面ボックス形の収納庫本体が構成され、前記壁、床及び天井の各構造体における芯材鉄骨の内側には木製下地を介して内装板が固定されているとともに、前記天井構造体には昇降用出入口が形成されている鋼製地下収納庫において、前記の内装板と金属製外板との間に形成される空間部内に露出する前記芯材鉄骨の全表面及び金属製外板の内面には断熱材が被覆されているとともに、前記収納庫本体内の少なくとも一方の対角線方向の二箇所で天井面近くの位置には、庫内空気を吸引しその吸引空気を前記空間部内に向けて圧入する強制吸排気用ファンが設置され、かつ、前記壁構造体及び床構造体における内装板のうち、少なくとも壁構造体における内装板には空間部内から庫内へ向けて空気を噴出する多数の小孔が分散形成されていることを特徴とするものである。
【０００９】
上記のような構成を有する本発明に係る鋼製地下収納庫によれば、収納庫本体が門形ラーメン構造と耐震壁構造の複合構造であることから、土圧、水圧、上部建物荷重を直接に受止めることが可能で、コンクリート製ピットの施工等が不要となり、大きな収納容量を確保する割には工期の短縮及び工費の低減が図れ、また、水漏れや湿気の侵入も防げる。
【００１０】
そのうえ、内装板と金属製外板との間の空間部内に露出する芯材鉄骨の全表面及び金属製外板の内面が断熱材で被覆されているので、もともと年間の温度差が少ない地下への埋設状態で地中の温度が直接、庫内に伝わりにくくて結露の発生を防止でき、加えて、天井面近くの対角線上に設置した強制吸排気用ファンを作動させることにより、庫内空気が金属製外板と内装板との間の空間部に圧入されるとともに、その圧入空気が少なくとも壁面に形成の小孔から庫内に噴出され、ほぼ竜巻流となって再びファンに吸引されるといった具合に、庫内空気が淀み停滞なく、常に庫内全域に亘って循環流動されることによって、黴や結露の発生が極力防止される。これによって、庫内を収納にとって最適な環境に保ち、大切な収納品も安心して長期間収納することができる。
【００１１】
特に、請求項３に記載のように、前記空間部のうち、少なくとも床構造体の空間部に竹炭を収容することにより、除湿効果を高めることができるだけでなく、脱臭・抗菌効果、マイナスイオン効果を発揮させて収納環境の一層の向上を図ることができる。
【００１２】
【発明の実施の形態】
以下、本発明の実施の形態を図面にしたがって説明する。
図１は本発明に係る鋼製地下収納庫の概略斜視図、図２は同鋼製地下収納庫の縦断側面図、図３は図２のＸ−Ｘ線に沿った横断面図であり、これら各図において、１Ａは壁構造体、１Ｂは床構造体、１Ｃは天井構造体であって、これら各構造体１Ａ，１Ｂ，１Ｃの組み合わせにより、短辺方向には門形ラーメン構造で、かつ、長辺方向には耐震壁構造の断面ボックス形の収納庫本体２０が構成されている。
【００１３】
前記各構造体１Ａ，１Ｂ，１Ｃは、図４及び図５に明示するように、所定のピッチ間隔で配置されたチャンネルなどの複数の芯材鉄骨２の外面に厚さが数ミリの鋼板を張り合わせた金属製外板３が固定されてなり、地下への埋設状態において砂や土壌に接する金属製外板３の外面全域には、図示を省略するが、防錆・防食塗膜および必要に応じて合成樹脂モルタルからなる厚膜型被膜が形成されている。
【００１４】
上記のような断面ボックス形の収納庫本体２０における各構造体１Ａ，１Ｂ，１Ｃの芯材鉄骨２に沿う位置にはそれぞれ該芯材鉄骨２よりも外方への突出長さが少し長い木製下地４及び横胴縁５を介して合板等の内装板６が固定されているとともに、前記天井構造体１Ｃにおける長辺方向の一端寄りで短辺方向の中央部には、昇降用階段７を設置するための昇降用出入口８が形成されている。また、前記内装板６と金属製外板３との間に形成される空間部９内に露出する前記芯材鉄骨２の全表面及び金属製外板３の内面全域は、ポリウレタンフォーム等の断熱材１０が吹付け被覆されている。
【００１５】
このように構成された収納庫本体２０を、図６に示すように、木造住宅等の上部建物１１の床下部で上部建物１１用基礎１２，１２間の地中に、天井構造体１Ｃ及び壁構造体１Ａの一部が地表面上に露出され、かつ、昇降用出入口８が上部建物１１の一階フローリング部１３に開口される状態で埋設設置することにより鋼製地下収納庫が完工される。この鋼製地下収納庫自体の基礎は、現場の土質等により多少異なるが、一般的には、栗石地業１４、現場打ちコンクリートマット１５及び空練モルタル１６により構成され、収納庫本体２０周りの埋め戻し土砂は地耐力確保のために転圧される。
【００１６】
上記のように収納庫本体２０を据付け設置して完工される鋼製地下収納庫において、前記収納庫本体２０の一方の対角線方向の二箇所で天井面（天井構造体１Ｃにおける内装板６の下面）近くの位置にはそれぞれ、庫内空気を吸引しその吸引空気を前記壁構造体１Ａにおける空間部９内に向けて圧入するダクトファン等の強制吸排気用ファン１７，１７が固定設置されている。また、前記壁構造体１Ａにおける内装板６のうち、図２のＨで示す高さ範囲部分及び床構造体１Ｂにおける内装板（床板）６の全域にはそれぞれ、縦横に一定ピッチで多数の小孔１８…が分散形成されており、前記ファン１７，１７により空間部９内に圧入された庫内空気をそれら多数の小孔１８…から庫内に向けて噴出させるように構成している。
【００１７】
上記のように構成された鋼製地下収納庫では、収納庫本体２０が門形ラーメン構造と耐震壁構造の複合構造であることから、土圧、水圧、上部建物１１の荷重を直接に受止めることが可能で、コンクリート製ピットの施工等が不要となり、大きな収納容量を確保しつつ工期の短縮及び工費の低減が図れ、また、水漏れや湿気の侵入も防げる。
【００１８】
そのうえ、内装板６と金属製外板３との間の空間部９内に露出する芯材鉄骨２の全表面及び金属製外板３の内面が断熱材１０で被覆されているので、もともと年間の温度差が少ない地下への埋設状態で地中の温度が直接、庫内に伝わりにくくて結露の発生を防止でき、さらに、天井面近くの対角線上に設置した強制吸排気用ファン１７，１７の作動に伴い庫内空気を金属製外板３と内装板６との間の空間部９に圧入するとともに、その圧入空気を壁面の大部分及び床面の全域に形成の小孔１８…から庫内に向けて噴出させることによって、図３の矢印で示すように庫内の全域に亘りほぼ竜巻状の空気流を生起させて庫内空気の停滞をなくすることが可能となり、これによって、黴や結露の発生を極力防止して、庫内を収納にとって最適な環境に保ち、大切な収納品でも安心して長期間収納することができる。
【００１９】
また、庫内空気が常に循環流動される条件下にある床構造体１Ｂの空間部９あるいは床構造体１Ｂ及び壁構造体１Ａの両空間部９に竹炭袋を収容したり、あるいは、空間部９に臨む内装板６の面に竹炭シートを張付けることにより、除湿効果を一層高めることができるだけでなく、脱臭・抗菌効果、マイナスイオン効果を発揮させて収納環境をより一層向上することができる。
【００２０】
なお、上記実施の形態では、床構造体１Ｂにおける内装板（床板）６の全域にも小孔１８…を形成したものについて説明したが、この小孔１８…は無くして、壁構造体１Ａにおける内装板６の全域に小孔１８…を形成しただけでも上記実施の形態とほぼ同様に、庫内に竜巻状の空気流を生起して黴や結露の発生を極力防止することができる。
【００２１】
また、上記実施の形態では、床構造体１Ｂにおける内装板（床板）６がその全域に亘って平坦に形成されたもので示したが、図７に示すように、床構造体１Ｂの一部を他の部分よりも下方へ局部的に突出させてその突出床構造体部分１Ｂ’に天井高の高いピット１９を形成してもよい。この場合は、収納庫全体の高さは比較的小さく設定しつつも、ピット１９内に立つことで腰をかがめる等の無理な体勢を採らなくても収納品の出し入れや整理作業を楽に行なうことができる。
【００２２】
【発明の効果】
以上のように、本発明によれば、収納庫本体が門形ラーメン構造と耐震壁構造という非常に頑丈な複合構造であり、コンクリート製ピットの施工等を不要にして大きな収納容量を確保する割には工期の短縮及び工費の低減でき、かつ、水漏れや湿気の侵入も防止できるといった鋼製地下収納庫本来の利点を有しているのはもとより、内装板と金属製外板との間の空間部内に露出する芯材鉄骨の全表面及び金属製外板の内面が断熱材で被覆されているので、もともと年間の温度差が少ない地下への埋設状態で地中の温度が直接、庫内に伝わりにくくて結露の発生を防止でき、しかも、天井面近くの対角線上に設置した強制吸排気用ファンにより庫内空気を淀み停滞なく、常に庫内全域に亘って循環流動させて黴や結露の発生を極力防止することができる。したがって、庫内を収納にとって常に最適な環境に保持することができ、大切な収納品も安心して長期間収納することができるという効果を奏する。
【００２３】
特に、請求項３に記載のように、少なくとも床構造体の空間部に竹炭を収容することにより、除湿効果を高めることができるだけでなく、脱臭・抗菌効果、マイナスイオン効果を発揮させて収納環境を一層向上することができる。
【図面の簡単な説明】
【図１】本発明に係る鋼製地下収納庫の概略斜視図である。
【図２】同上鋼製地下収納庫の縦断側面図である。
【図３】図２のＸ−Ｘ線に沿った横断面図である。
【図４】同上鋼製地下収納庫の要部の拡大縦断正面図である。
【図５】図４の要部の拡大横断面図である。
【図６】本発明に係る鋼製地下収納庫の据付け設置状態を示す縦断正面図である。
【図７】本発明に係る鋼製地下収納庫の他の実施の態様を示す縦断側面図である。
【符号の説明】
１Ａ  壁構造体
１Ｂ  床構造体
１Ｃ  天井構造体
２  芯材鉄骨
３  金属製外板
４  木製下地
６  内装板
８  昇降用出入口
９  空間部
１０  断熱材
１７  強制吸排気用ファン
１８  小孔
１９  ピット
２０  収納庫本体
【図１】
2004360423.tif 000003
【図２】
2004360423.tif 000004
【図３】
2004360423.tif 000005
【図４】
2004360423.tif 000006
【図５】
2004360423.tif 000007
【図６】
2004360423.tif 000008
【図７】
2004360423.tif 000009